(57)【要約】【課題】小型化と発光面の均斉度の向上とを図る。【解決手段】光学ブロック23は、周縁部分が全周に亘って肉厚に形成されており、この肉厚部分の裏面(反射シート22に接する面)に鈎形の保持溝233が設けられている。そして、電線26は、保持溝233に収納されて保持される。故に、光学ブロック23に設けられた保持溝233で電線26を保持しているので、反射体３の取付板30に取り付けられるＬＥＤモジュール２同士の間に配線用のスペースが不要となり、特許文献１記載の従来例と比較して小型化が容易になる。さらに、隣り合うＬＥＤモジュール２同士の間隔を狭くすることにより、発光面の均斉度の向上を図ることもできる。【選択図】        図１
2014164880.tif 000002
【特許請求の範囲】
【請求項１】
複数のＬＥＤが一面に実装された基板と、前記基板の前記一面側に配置される光学ブロックと、前記基板から引き出されて前記ＬＥＤに給電するための電線とを備え、前記光学ブロックは、少なくとも前記ＬＥＤと対向する位置に設けられる複数のレンズと、前記複数のレンズ同士を結合する結合部材と、前記電線を収納して保持する保持溝とを有することを特徴とするＬＥＤモジュール。
【請求項２】
前記基板は、前記電線の先端に設けられるプラグコネクタと接続されるレセプタクルコネクタが前記一面に実装され、前記結合部材は、前記レセプタクルコネクタを逃げるための凹部が設けられ、前記凹部は、前記保持溝に連結され、且つ前記連結箇所がテーパ状に切り欠かれていることを特徴とする請求項１記載のＬＥＤモジュール。
【請求項３】
前記結合部材は、前記凹部内に配置される前記レセプタクルコネクタ及び前記プラグコネクタを覆う庇が設けられていることを特徴とする請求項２記載のＬＥＤモジュール。
【請求項４】
前記結合部材は、前記電線が前記保持溝の保持位置から非保持位置へ移動することを規制する突起を有することを特徴とする請求項１〜３の何れか１項に記載のＬＥＤモジュール。
【請求項５】
請求項１〜４の何れかのＬＥＤモジュールと、１乃至複数の前記ＬＥＤモジュールを支持する器具本体とを備えることを特徴とする照明器具。
【発明の詳細な説明】
【技術分野】
【０００１】
本発明は、ＬＥＤモジュール、及びＬＥＤモジュールを用いた照明器具に関する。
【背景技術】
【０００２】
ＬＥＤモジュール、及びＬＥＤモジュールを用いた照明器具の従来例として、特許文献１記載のものを例示する。特許文献１には、矩形平板状の取付台と、取付台の前面に取り付けられる４つの光源ユニット(ＬＥＤモジュール)とで構成された照明器具(ＬＥＤ照明器具)が記載されている。
【０００３】
ＬＥＤモジュールは、複数個のＬＥＤ(発光ダイオード)が実装されたプリント配線板と、プリント配線板が内部に収納されるハウジングと、プリント配線板から引き出されたリード線とで構成される。
【０００４】
ハウジングはアクリル樹脂等の透光性を有する合成樹脂材料により、背面が開口した扁平な矩形箱状に形成されている。また、ハウジングの外側の底面には、ＬＥＤの光の照射範囲を拡大するために複数のレンズが設けられている。
【０００５】
４つのＬＥＤモジュールは、隣り合うもの同士の間に配線用のスペースを設けるようにして、取付台の前面に取り付けられる。そして、プリント配線板から引き出されたリード線と、取付台の前面における前記スペースに配設されているコネクタとが接続される。
【先行技術文献】
【特許文献】
【０００６】
【特許文献１】特開２００７−５３０２７号公報
【発明の概要】
【発明が解決しようとする課題】
【０００７】
特許文献１記載の従来例では、ＬＥＤモジュールに給電するための電線(リード線)を収めるために、取付台に取り付けられるＬＥＤモジュール同士の間にスペースが必要となる。このスペースが存在することにより、特許文献１記載の従来例は、小型化が困難になるとともに、発光面の均斉度が低下するという問題があった。
【０００８】
本発明は、上記課題に鑑みて為されたものであり、小型化と発光面の均斉度の向上とを図ることを目的とする。
【課題を解決するための手段】
【０００９】
本発明のＬＥＤモジュールは、複数のＬＥＤが一面に実装された基板と、前記基板の前記一面側に配置される光学ブロックと、前記基板から引き出されて前記ＬＥＤに給電するための電線とを備え、前記光学ブロックは、少なくとも前記ＬＥＤと対向する位置に設けられる複数のレンズと、前記複数のレンズ同士を結合する結合部材と、前記電線を収納して保持する保持溝とを有することを特徴とする。
【００１０】
このＬＥＤモジュールにおいて、前記基板は、前記電線の先端に設けられるプラグコネクタと接続されるレセプタクルコネクタが前記一面に実装され、前記結合部材は、前記レセプタクルコネクタを逃げるための凹部が設けられ、前記凹部は、前記保持溝に連結され、且つ前記連結箇所がテーパ状に切り欠かれていることが好ましい。
【００１１】
このＬＥＤモジュールにおいて、前記結合部材は、前記凹部内に配置される前記レセプタクルコネクタ及び前記プラグコネクタを覆う庇が設けられていることが好ましい。
【００１２】
このＬＥＤモジュールにおいて、前記結合部材は、前記電線が前記保持溝の保持位置から非保持位置へ移動することを規制する突起を有することが好ましい。
【００１３】
本発明の照明器具は、前記何れかのＬＥＤモジュールと、１乃至複数の前記ＬＥＤモジュールを支持する器具本体とを備えることを特徴とする。
【発明の効果】
【００１４】
本発明のＬＥＤモジュール及び照明器具は、電線を保持する保持溝を光学ブロックが有しているので、電線を配線するためのスペースを減らすことができ、その結果、小型化と発光面の均斉度の向上とを図ることができるという効果がある。
【図面の簡単な説明】
【００１５】
【図１】本発明に係るＬＥＤモジュールの実施形態を示す要部断面図である。
【図２】同上を示し、(ａ)は平面図、(ｂ)は(ａ)のＡ−Ａ線断面矢視図、(ｃ)は(ａ)のＢ−Ｂ線断面矢視図である。
【図３】同上における光学ブロックの斜視図である。
【図４】同上の分解斜視図である。
【図５】本発明に係る照明器具の実施形態を示す分解斜視図である。
【図６】同上の要部断面図である。
【図７】同上の要部断面図である。
【図８】同上における枠の一部省略した斜視図である。
【図９】同上の一部省略及び破断した斜視図である。
【図１０】同上の吊り下げ状態の斜視図である。
【図１１】同上の吊り下げ状態の要部斜視図である。
【発明を実施するための形態】
【００１６】
以下、本発明に係るＬＥＤモジュール及び照明器具の実施形態について、図面を参照して詳細に説明する。なお、本実施形態では天井直付け型の照明器具を例示するが、天井埋込型や吊り下げ型の照明器具であっても構わない。
【００１７】
本実施形態の照明器具は、図５に示すように光源ユニット１、器具本体４、枠５、パネル６、点灯装置７などで構成される。なお、以下の説明で使用する上下及び前後左右の各方向は、特に断りの無い限り、図５において規定した方向とする。
【００１８】
器具本体４は、矩形平板状の底板40と、底板40の周縁から下向きに曲げ起こされた側板41とが金属板によって一体に形成されてなる。底板40には、商用電源用の電線挿通孔400が貫通している。そして、この電線挿通孔400に挿通された電源線(図示せず)は、底板40の下面後部に固定された電源端子台42に接続される。電源端子台42は、電線(図示せず)を介して点灯装置７に接続されている。つまり、点灯装置７は、電源端子台42を介して商用電源(交流電源)が供給される。また、底板40の下面左側の後部に信号端子台43が固定されている。信号端子台43は、電線挿通孔400に挿通された信号線(図示せず)に接続される。
【００１９】
また、底板40の上面には、複数の半球状のダボ401が突設されている(図６及び図７参照)。つまり、底板40が天井材にねじ止めされて器具本体４が天井に固定されたとき、これら複数のダボ401が天井面に当たることで底板40と天井面との間に僅かな隙間が形成される。
【００２０】
点灯装置７は、交流の電圧・電流を直流の電圧・電流に変換する電力変換回路や入力端子台71、２つの出力端子台72、信号端子台73などが実装されたプリント配線板(図示せず)を金属製のケース70に収納して構成される。ただし、入力端子台71、出力端子台72、信号端子台73が実装されているプリント配線板の長手方向の両端部はケース70から露出している。
【００２１】
枠５は、窓孔52が貫通した矩形の底壁50と、底壁50の周縁から上向きに立ち上がる側壁51とを有し、上面が開放された矩形箱状に形成されている(図５〜図８参照)。底壁50の上面には、窓孔52の縁から僅かの距離(数mm〜十数mm)だけ離れた位置に、窓孔52を全周から囲むように内壁53が形成されている。内壁53は、側壁51と平行であり、且つ高さ寸法が側壁51の高さ寸法よりも十分に小さくなっている(図６〜図８参照)。
【００２２】
また、底壁50と側壁51と内壁53に囲まれた空間(以下、収納空間と呼ぶ。)に、４つの取付金具55と、１つの係止金具56とが収納されている。取付金具55は、菱形の係止片550と、係止片550の下端に連結された固定片551とが金属材料で一体に形成されてなる(図８参照)。これらの取付金具55は、窓孔52を挟んだ左右両側の収納空間にそれぞれ２つずつ配設され、固定片551が内壁53にかしめ固定される。
【００２３】
一方、器具本体４の底板40の下面には、図５に示すように４つの取付金具55と各々対応する位置に保持金具44が設けられている(ただし、図５では右側の２つの保持金具44の図示を省略している。)。保持金具44は、高弾性率の金属板を曲げ加工することでΩ形状に形成されている。この保持金具44は、図９に示すように下面の開口部分から内部に挿入される取付金具55の係止片550を弾性力により保持することができる。つまり、枠５は、４つの取付金具55が４つの保持金具44に個別に保持されることにより、器具本体４の下面側に着脱自在に取り付けられる。
【００２４】
係止金具56は、図６及び図８に示すように鈎形に形成された一対の係止爪560と、角樋状に形成されて内壁53に固定される固定片561とが金属板を加工することで一体に形成されてなる。固定片561は、図６に示すように底壁50及び内壁53と接するように収納空間内に収納されて内壁53にかしめ固定される。また、固定片561は、側壁51に対向する部位が側壁51の上端付近まで延長されている。一対の係止爪560は、固定片561の側壁51に対向する部位の上端に、前後方向に間隔を空けて設けられている。
【００２５】
一方、器具本体４には、一対の係止爪560が各別に挿入係止される一対の係止孔410が設けられている。つまり、各係止孔410に各係止爪560を挿入し、各係止孔410の下端縁に各係止爪560を係止することによって、枠５を器具本体４に吊り下げることができる(図１０及び図１１参照)。なお、取付金具55が保持金具44に保持されて枠５が器具本体４に取り付けられた状態では、一対の係止爪560と係止孔410との係止が外れ、ダボ401によって形成された器具本体４と天井材との隙間に係止爪560が退避する(図６及び図９参照)。
【００２６】
パネル６は、透光性を有し且つ拡散材が混入された合成樹脂(例えば、アクリル樹脂)によって矩形平板状に形成されている。ただし、パネル６の縦横寸法は、窓孔52の縦横寸法よりも大きく、且つ内壁53間の距離よりも小さく構成されている。そして、パネル６は、内壁53の内側に収納されるとともに、底壁50における内壁53の内側の部分(以下、フランジ54と呼ぶ。)に載置されて窓孔52を塞いでいる(図５〜図８参照)。なお、フランジ54に載置されたパネル６は、押さえ金具58によって上方向の移動が規制(抜け止め)されている。
【００２７】
押さえ金具58は、図６及び図８に示すように内壁53に固定される固定片580と、固定板580の下端からフランジ54と平行に突出する突片581とが、矩形の金属板をＬ字形に曲げ加工することで一体に形成されてなる。押さえ金具58は、係止金具56の固定片551とともに固定片580が内壁53にかしめ固定されることで枠５に取り付けられる。
【００２８】
光源ユニット１は、図５及び図６に示すように４つのＬＥＤモジュール２と、反射体３とで構成される。反射体３は、矩形平板状の取付板30と、取付板30の周縁から下向きに曲げ起こされた４つの反射板31とを有し、下面が開放された箱状に形成されている。また、各反射板31の下端には、外向きに突出する外鍔32が反射板31と一体に形成されている。
【００２９】
さらに、反射体３の前面側に、取付台座74によって点灯装置７が取り付けられる。取付台座74は、点灯装置７がねじ止めして取り付けられる長尺の取付片740と、取付片740の長手方向に沿った一端縁から突出する長尺の固定片741とを有する。この取付台座74は、反射体３の前側の反射板31と取付片740との間にスペースを空けるようにして、固定片741が反射体３の取付板30の上面にねじ止めして固定される(図５参照)。
【００３０】
ＬＥＤモジュール２は、矩形の基板20と、基板20の下面(図４における上面)に実装された複数のＬＥＤ21と、ＬＥＤ21が実装された領域を除いて、基板20の下面全体を覆う反射シート22と、光学ブロック23とを備える(図４参照)。
【００３１】
ＬＥＤ21は、市販されているパッケージ型の白色ＬＥＤであり、基板20の下面に形成されたランド(図示せず)に電極が半田接合されることで基板20の下面に実装(表面実装)される。
【００３２】
基板20は、前記ランドが一定の間隔で縦横に並べて形成されるとともに各ランドを電気的に接続する導電体(銅箔)が下面に形成されている。また、基板20の下面における前方の左右方向中央に、レセプタクルコネクタ24が実装されている。レセプタクルコネクタ24は、導電体を介して全てのＬＥＤ21と電気的に接続されており、プラグコネクタ(図示せず)と抜き差し自在に接続される。ただし、必ずしも全てのランドにＬＥＤ21を実装する必要は無く、いくつかのランドを間引いてＬＥＤ21を実装しても構わない。
【００３３】
反射シート22は、合成ゴムや合成樹脂などの絶縁材料からなるシート材の表面(下面)に反射率が相対的に高い物質からなる反射層が形成されてなる。反射シート22には、ＬＥＤ21及びランドを露出させる貫通孔220が縦横に並べて形成されている(図４参照)。すなわち、反射シート22が基板20の下面側に配置されることにより、ＬＥＤ21から放射される光が反射シート22によって下方へ反射される。
【００３４】
光学ブロック23は、図２に示すようにＬＥＤ21の光を拡散する複数(図示例では６６個)のレンズ230と、これら複数のレンズ230を結合する結合部材231とが透光性を有する合成樹脂(例えば、アクリル樹脂)によって一体に成形されてなる。レンズ230は、図１に示すように回転放物面形状に形成されてＬＥＤ21から放射される光が入射する入射面2300と、入射面2300から入射した光を伝搬する伝搬部2301と、伝搬部2301を伝搬した光が出射する出射面2302とを有している。出射面2302は、中心点(光軸との交点)の周囲がＬＥＤ21の方へ凹み、その周囲がＬＥＤ21から離れる向き(図１における上向き)に凸となる曲面に形成されている。伝搬部2301は、入射面2300と出射面2302に囲まれた領域(樹脂成形体)からなる。
【００３５】
また、レンズ230は、底面が入射面2300と繋がり、且つＬＥＤ21を内部に収納する円筒形の凹所2303を有している(図１及び図３参照)。凹所2303の内径寸法は、入射面2300の外径寸法よりも大きく且つ出射面2302の外径寸法よりも小さくなっている。すなわち、入射面2300に囲まれる空間にＬＥＤ21を収納する場合と比較して、凹所2303内に収納することでＬＥＤ21の周囲の空間が拡大されるので、放熱性の低下を抑制することができる。
【００３６】
光学ブロック23は、基板20及び反射シート22とともに取付板30にねじ止めして取り付けられる。光学ブロック23は、中心(対角線の交点)に相当する位置の結合部材231に円形の第１ねじ挿通孔2310が貫通している。さらに、光学ブロック23は、向かい合う２辺の中点と中心を通る直線(以下、中心線と呼ぶ。)に沿って、第１ねじ挿通孔2310の両側に第２ねじ挿通孔2311が貫通している。ただし、一対の第２ねじ挿通孔2311は、何れも長軸方向が中心線に平行である長孔状に形成されている(図４参照)。
【００３７】
また、基板20と反射シート22には、光学ブロック23の第１ねじ挿通孔2310及び第２ねじ挿通孔2311と厚み方向に重なる第１ねじ挿通孔200，221及び第２ねじ挿通孔201，222がそれぞれ貫通している(図４参照)。一方、反射体３の取付板30には、第１ねじ挿通孔2310及び第２ねじ挿通孔2311に対応した位置にそれぞれねじ孔(図示せず)が形成されている。したがって、基板20と反射シート22と光学ブロック23を積み重ね、それぞれの第１ねじ挿通孔2310及び第２ねじ挿通孔2311に挿通したねじ10を取付板30のねじ孔にねじ込むことにより、基板20と反射シート22と光学ブロック23を取付板30に取り付けることができる。
【００３８】
ここで、第２ねじ挿通孔2311を長孔としていることにより、光学ブロック23がＬＥＤ21の発する熱の影響で熱膨張した際、光学ブロック23にかかる応力を低減することができる。
【００３９】
また、光学ブロック23は、電線26を収納して保持する保持溝233を有している。電線26は、４つのプラグコネクタ間を送り配線しており、その両端が点灯装置７の出力端子台72に接続される。
【００４０】
光学ブロック23の周縁部分が全周に亘って肉厚に形成されており、この肉厚部分の裏面(反射シート22に接する面)に鈎形の保持溝233が設けられている(図１〜図３参照)。そして、電線26は、保持溝233に収納されて保持される(図１参照)。故に、光学ブロック23に設けられた保持溝233で電線26を保持しているので、反射体３の取付板30に取り付けられるＬＥＤモジュール２同士の間に配線用のスペースが不要となり、特許文献１記載の従来例と比較して小型化が容易になる。さらに、隣り合うＬＥＤモジュール２同士の間隔を狭くすることにより、発光面の均斉度の向上を図ることもできる。
【００４１】
また、保持溝233は、電線26が保持位置から非保持位置へ移動することを規制する突起2330が先端から反射シート22に向かって突設されている(図１参照)。このため、電線26が保持溝233から外れ難くなっている。
【００４２】
上述のように電線26を保持する保持溝233を光学ブロック23に設けているので、従来例のようにＬＥＤモジュール２同士の間にスペースを設ける必要が無くなり、前記スペースを設ける場合と比較して隣り合うＬＥＤモジュール２同士を近付けることができる。その結果、複数のＬＥＤモジュール２を搭載する照明器具の小型化、並びに発光面の均斉度の向上を図ることができる。
【００４３】
また、結合部材231は、レセプタクルコネクタ24及びプラグコネクタ(以下、コネクタという。)を逃げるための凹部2312と、凹部2312内に配置されるコネクタを覆う庇2313とが一体に形成されている(図２〜図４参照)。したがって、ＬＥＤ21から放射される光がコネクタで遮られたり、あるいはコネクタに反射することで均斉度が低下することを抑制できる。
【００４４】
さらに、凹部2312は、保持溝233に連結され、且つ前記連結箇所2314がテーパ状に切り欠かれている(図３参照)。したがって、電線26を凹部2312から直接保持溝233へ収納することができるので、配線の省スペース化を図ることができる。
【００４５】
光源ユニット１は、反射体３の外鍔32を押さえ金具58の突片581とパネル６との間の隙間に挿入するようにして、枠５の内壁53の内側に配置される(図６参照)。そして、パネル６を挟んで押さえ金具58と反対側の内壁53に設けられた固定金具57によって、光源ユニット１が枠５に固定される(図７参照)。
【００４６】
固定金具57は、鈎形の係止片570と、係止片57の端部から延長された鈎形の固定片571とが金属板を加工することで一体に形成されてなる。固定金具57は、内壁53を貫通する係止孔530に係止片570が挿入係止されて内壁53に固定される。ただし、係止片570の厚みよりも係止孔530の径の方が十分に大きいので、固定金具57は、係止片570を支点として内壁53に対して回動自在となっている。
【００４７】
また、固定片571の先端にはねじ挿通孔572が貫通している。そして、反射体３の取付板30には、雌ねじ33が設けられている。したがって、固定片561のねじ挿通孔572に挿通したねじ573を取付板30の雌ねじ33にねじ込むことにより、反射体３の上向きの移動が規制される。その結果、枠５に対して光源ユニット１を確実に取り付けることができる。
【００４８】
次に、本実施形態の照明器具の施工手順を簡単に説明する。まず、器具本体４を天井に取り付け、電線挿通孔400に挿通した電源線を電源端子台42に接続し、信号線を信号端子台43に接続する。
【００４９】
続いて、係止金具56の係止爪560を器具本体４の係止孔410に挿入係止し、枠５を器具本体４に吊り下げた状態とする(図１０参照)。この吊り下げ状態において、点灯装置７の入力端子台71と器具本体４の電源端子台42を電線で接続するとともに、点灯装置７の信号端子台73と器具本体４の信号端子台43を信号線で接続する。
【００５０】
配線作業が完了したら、枠５を持ち上げるようにして回動し、取付金具55の係止片550を保持金具44に保持させることで枠５が器具本体４の下面側に取り付けられる。また、枠５を下向きに引き下げることで係止片550を保持金具44から離脱させ、上述した吊り下げ状態にすれば、パネル６の清掃等のメンテナンス作業を容易に行うことかできる。
【符号の説明】
【００５１】
２  ＬＥＤモジュール
20  基板
21  ＬＥＤ
23  光学ブロック
26  電線
230  レンズ
231  結合部材
233  保持溝
【図１】
2014164880.tif 000003
【図２】
2014164880.tif 000004
【図３】
2014164880.tif 000005
【図４】
2014164880.tif 000006
【図５】
2014164880.tif 000007
【図６】
2014164880.tif 000008
【図７】
2014164880.tif 000009
【図８】
2014164880.tif 000010
【図９】
2014164880.tif 000011
【図１０】
2014164880.tif 000012
【図１１】
2014164880.tif 000013